(57)【要約】【課題】壁面と石材の重心が離れていても、地震時等において取付金物の振動や変形を抑え、かつ石材が欠けたり取付金物が変形したりすることにより、石材が落下するのを防止する方法を提供する。【解決手段】石材を構造物の壁面に取り付ける乾式石張り工法において、前記石材を支持する取付金物の先端と前記壁面または隣接する取付金物とをワイヤー等の線材でつないだことを特徴とする。【選択図】図１
2015094138.tif 000002
【特許請求の範囲】
【請求項１】
石材を構造物の壁面に取り付ける乾式石張り工法において、
前記石材を支持する取付金物の先端と
前記壁面または隣接する取付金物と
を線材でつないだことを特徴とする石材落下防止方法。
【請求項２】
前記線材の少なくとも一方の端部に減衰装置が取り付けられていることを特徴とする請求項１に記載の石材落下防止方法。
【発明の詳細な説明】
【技術分野】
【０００１】
本発明は、板状石材等の外壁材を構造物の壁面に取り付ける乾式石張り工法における石材落下防止方法に関する。
【背景技術】
【０００２】
石材を外壁に乾式工法で取り付ける場合、外壁面がコンクリート躯体であれば取付金物を躯体にアンカーボルトで固定し、石材とはダボピンで固定する方法が多く使われる（特許文献１参照）。
【０００３】
また、乾式工法で取り付けられた石材落下防止方法として、石材の裏面に補強用シート材を貼着し、前記補強用シートのはみ出し部を壁に打ち込まれたアンカーボルトに対して係止させて壁材に取り付けることによる方法が示されている（特許文献２参照）。
【先行技術文献】
【特許文献】
【０００４】
【特許文献１】特開平７−６９７０７号公報
【特許文献２】特開平７−３１７２７１号公報
【発明の概要】
【発明が解決しようとする課題】
【０００５】
ところが、石材を壁面と垂直に取り付ける場合などで、壁面と石材の重心が離れてしまうと地震時等に石材や取付金物にかかる荷重が大きくなってしまい、石材の固定部が欠けたり、取付金物が変形することにより、石材の固定度が落ちて石材が落下する可能性が高くなる。
【０００６】
本発明は、壁面と石材の重心が離れていても、地震時等において取付金物の振動や変形を抑え、かつ石材が欠けたり取付金物が変形したりすることにより、石材が落下するのを防止することを目的とする。
【課題を解決するための手段】
【０００７】
請求項１に記載の石材落下防止方法は、石材を構造物の壁面に取り付ける乾式石張り工法において、前記石材を支持する取付金物の先端と前記壁面または隣接する取付金物とを線材でつないだことを特徴とする。
【０００８】
この発明によれば、石材を支持する取付金物の先端と前記壁面または隣接する取付金物とをワイヤーなどの線材でつなぐことで、地震時等に石材や取付金物にかかる荷重が大きくなっても、取付金物の振動や変形を抑え、石材が落下するのを防止することができる。
【０００９】
請求項２に記載の石材落下防止方法は、前記線材の少なくとも一方の端部に減衰ゴム等の減衰装置が取り付けられていることを特徴とする。
【００１０】
この発明によれば、取付金物の振動を効果的に抑え、石材が落下するのを防止することができる。
【発明の効果】
【００１１】
本発明によれば、石材を支持する取付金物の先端と前記壁面または隣接する取付金物とをワイヤーなどの線材でつなぐことで、地震時等に石材や取付金物にかかる荷重が大きくなっても、取付金物の振動や変形を抑え、石材が落下するのを防止することができる。
【図面の簡単な説明】
【００１２】
【図１】本発明の一実施形態に係る石材落下防止方法が適用された斜視図である。
【図２】前記実施形態に係る石材の斜視図である。
【図３】前記実施形態に係る取付金物の斜視図である。
【図４】前記実施形態に係る取付金物と構造物との接合部分の分解斜視図である。
【発明を実施するための形態】
【００１３】
以下、本発明の一実施形態について、図面を参照しながら説明する。
図１は、本発明の一実施形態に係る石材落下防止方法が適用された斜視図である。
【００１４】
複数の板状の石材１０が、複数の取付金物２０によって建物の方立３の外壁面４に取り付けられる。
【００１５】
石材１０は、上下に複数段積層されており、各段では、一対の石材１０が互いに背中合わせに並んで配置されている。
また、取付金物２０は、上下の石材１０同士の間に配置されている。
【００１６】
図２は、石材１０の斜視図である。
各石材１０の下端面には、２箇所にダボ穴１１が形成されている。また、各石材１０の上端面には、２箇所にダボ穴１２が形成されている。また、各石材１０の裏面には、補強用ネット１５がエポキシ系樹脂接着材で貼付されている。
【００１７】
以下、下から２番目の取付金物２０Ａについて説明するが、他の取付金物２０についても、同様の構造である。
この取付金物２０Ａの直下に位置する石材１０を、下側の石材１０Ａとし、この取付金物２０Ａの直上に位置する石材１０を、上側の石材１０Ｂとする。
【００１８】
図３は、取付金物２０Ａの斜視図である。
取付金物２０Ａは、外壁面４に沿って延びてこの外壁面４にボルト固定される板状の取付面部２１と、この取付面部２１から略水平に延びて一対の石材１０を支持する板状の支持面部２２と、取付面部２１および支持面部２２に一体に設けられて一対の石材１０同士の隙間に配置される板状の補強部２３と、を備える。
【００１９】
支持面部２２は、上下の石材１０Ａ、１０Ｂの間に配置されて、下側の石材１０Ａの位置を固定して石材１０Ａの開き止めを行うとともに、上側の石材１０Ｂを下から支持する。
【００２０】
具体的には、支持面部２２には、４箇所に長孔２４が形成されている。ダボピン１３を用意して、このダボピン１３を上から長孔２４に挿通して下側の石材１０Ａの上端面のダボ穴１２に差し込むことで、下側の石材１０Ａが支持面部２２に係止する。
【００２１】
また、支持面部２２の上面には、４つのダボピン２５が設けられている。ダボピン２５を上側の石材１０Ｂの下端面のダボ穴１１に差し込むことで、上側の石材１０Ｂが支持面部２２に係止する。
【００２２】
取付金物２０Ａの取付面部２１と方立３の外壁面４との間には、ライナープレート５０が介装されている。このライナープレート５０の厚みを調整することで、取付金物２０Ａの外壁面４からの突出寸法を調整できる。
【００２３】
更に、取付金物２０Ａの支持面部２１と補強部２３の外側端部にそれぞれ高減衰ゴム４１を介してワイヤー固定部材４０を取り付ける。外壁面４にも同様に、高減衰ゴム４１を介してワイヤー固定部材４０を取り付ける。ワイヤー３０の一方の端部を取付金物２０Ａに取り付けたワイヤー固定部材４０に固定し、もう一方の端部を外壁面４に取り付けたワイヤー固定部材４０に固定する。ワイヤー３０などの線材でつなぐことで、地震時等に石材１０Ｂや取付金物２０Ａにかかる荷重が大きくなっても、取付金物２０Ａの振動や変形を抑え、石材１０Ｂが落下するのを防止することができる。更に、高減衰ゴム４１により取付金物２０Ａの振動を効果的に抑え、振動を速やかに収束させることができる。外壁面側のワイヤー固定部材４０は、取付金物２０Ａに隣接する取付金物２０に固定してもよい。
【００２４】
図示はしていないが、前記ワイヤー３０と石材１０の裏面に貼付された補強用ネット１５が適宜緩結されているので、石材１０が欠けたり取付金物２０が変形したりすることにより、石材２０の固定度が落ちても石材２０が落下するのを防止することができる。
【００２５】
図４は、取付金物２０Ａと方立３との接合部分の分解斜視図である。この図４では、理科の容易のため、ライナープレート５０の表示を省略している。
取付金物２０Ａの取付面部２１は、ボルト６０、押えプレート７０、ナット６１を用いて、方立３の外壁面４に固定される。
【００２６】
方立３の外壁面４には、ボルト６０を挿通するための円形の挿通孔５が形成されている。また、取付金物２０Ａの取付面部２１には、ボルト６０を挿通するための縦長の長孔２６が形成されている。
押えプレート７０は、矩形状であり、この押えプレート７０には、ボルト６０を挿通するための円形の挿通孔７１が形成されている。
【００２７】
本実施形態によれば、以下のような効果がある。
（１）ワイヤー３０などの線材でつなぐことで、地震時等に石材１０Ｂや取付金物２０Ａにかかる荷重が大きくなっても、取付金物２０Ａの振動や変形を抑え、石材１０Ｂが落下するのを防止することができる。更に、高減衰ゴム４１により取付金物２０Ａの振動を効果的に抑え、振動を速やかに収束させることができる。
（２）ワイヤー３０と石材１０の裏面に貼付された補強用ネット１５が適宜緩結されているので、石材１０が欠けたり取付金物２０が変形したりすることにより、石材２０の固定度が落ちても石材２０が落下するのを防止することができる。
【００２８】
なお、本発明は前記実施形態に限定されるものではなく、本発明の目的を達成できる範囲での変形、改良等は本発明に含まれるものである。
【符号の説明】
【００２９】
３…方立（構造物）
４…外壁面
５…挿通孔
１０、１０Ａ、１０Ｂ…石材
１１、１２…ダボ穴
１３…ダボピン
１５…補強用ネット
２０、２０Ａ…取付金物
２１…取付面部
２２…支持面部
２３…補強部
２４…長孔
２５…ダボピン
２６…長孔
３０…ワイヤー
４０…ワイヤー固定部材
４１…高減衰ゴム
５０…ライナープレート
６０…ボルト
６１…ナット
７０…押えプレート
７１…挿通孔
【図１】
2015094138.tif 000003
【図２】
2015094138.tif 000004
【図３】
2015094138.tif 000005
【図４】
2015094138.tif 000006